(57)【要約】【課題】黒鉛結晶が発達している天然黒鉛及びコークスを黒鉛化した人造黒鉛は、放電末期において負極側の分極による電圧変化が大きく、過放電を抑制する為に終止電圧を高く設定して、負極材料自体が有する容量を充分に活用することが困難であった。【解決手段】負極活物質に黒鉛質材料と該黒鉛質材料より高い放電容量を有する非黒鉛質材料の混合材料を用いる。それにより、放電末期に両極間の電圧低下を緩やかにし放電可能な容量が向上される。また、非黒鉛質材料の混合量は１０体積％より大きく９０体積％未満とする。また、非黒鉛質材料はＬｉ基準電位で０Ｖまで充電後、１．５Ｖ  まで放電した際の初回充放電効率が８５％より高い値を示す材料を用いる。【選択図】  図１
2004303674.tif 000002
【特許請求の範囲】
【請求項１】
黒鉛質材料と該黒鉛質材料より高い放電容量を有する非黒鉛質材料との混合物からなる負極材料において、前記非黒鉛質材料の混合量が１０体積％より大きく９０体積％未満で、且つ、前記非黒鉛質材料は参照極及び対極に金属リチウムを用いて作成したモデル電池評価において、Ｌｉ基準電位で０Ｖまで充電後、１．５Ｖまで放電した際の初回充放電効率が８５％より高い値を示す材料であることを特徴とする非水系電解液二次電池用負極材料。
【請求項２】
リチウムの吸蔵放出が可能な正極活物質が集電体箔の両面に形成された正極と、リチウムの吸蔵放出が可能な負極活物質が集電体箔の両面に形成された負極と、リチウム塩を含む非水電解液とを有し、前記負極活物質が黒鉛質材料と該黒鉛質材料より高い放電容量を有する非黒鉛質材料の混合材料であり、前記正極及び負極がセパレータを介して巻回または積層された非水系電解液二次電池において、前記非黒鉛質材料の混合量が１０体積％より大きく９０体積％未満であり、また、前記非黒鉛質材料は０Ｖまで充電後、１．５Ｖ  まで放電した際の初回充放電効率が８５％より高い値を示す材料であることを特徴とする非水系電解液二次電池。
【発明の詳細な説明】
【０００１】
【発明の属する技術分野】
本発明は、ポータブル電子機器等に用いるのに好適な新規な非水系電解液二次電池とその負極材料に関する。
【０００２】
【従来の技術】
従来、非水系電解液二次電池の負極には黒鉛質材料を用いられている（例えば、天然黒鉛材料，コークス等を黒鉛化した人造黒鉛等）。しかしながら、黒鉛結晶が発達している天然黒鉛及びコークスを黒鉛化した人造黒鉛は、放電末期において負極側の分極による電圧変化が大きく、過放電を抑制する為に終止電圧を高く設定し、負極材料が有する容量を充分に活用することが困難であった。例えば、電池の放電終止電圧を２．７Ｖ  と設定した場合、放電終止時の正極の電位を約３．０Ｖと推定すると、負極の電位としては約０．３Ｖに達するまでの放電容量が、実質的な電池容量となる。そこで、黒鉛質材料よりリチウムイオンの拡散が早い、非黒鉛質材料との混合負極を用い、放電末期の分極を抑制する手法が提案されている。
【０００３】
特許文献１では黒鉛質材料とＸ線回折で求めた００２面の間隔が０．３４３  〜０．３９ｎｍ  、結晶子の大きさを示すＬｃが０．９〜９．９ｎｍを示す炭素質材料を混合する手法が提案されている。また、特許文献２では黒鉛質材料と黒鉛質材料の重量あたりの容量８０％以上を有する非黒鉛炭素材料と混合し、負極の分極を抑制する手法などが提案されている。
【０００４】
【特許文献１】
特開平６−３６７６０号公報
【特許文献２】
特開平７−１９２７２４号公報
【０００５】
【発明が解決しようとする課題】
しかし、特許文献１に記載の材料を電池に用いた際には、混合する炭素質材料が黒鉛質材料より、重量あたりの放電容量が低い物質であり、混合して形成された負極を用いた電池では、重量あたりの放電容量が低くなってしまう危険性があった。また、炭素質材料の混合量が３０体積％を超えると、分極が大きくなり電池の放電電位が低くなってしまう問題があった。
【０００６】
また、特許文献２に記載の材料を電池に用いた際に充電終止時の負極側の電位は、黒鉛質材料と比較して卑になる。しかし、混合する炭素質材料に黒鉛質材料と比較して、重量あたりの放電容量が８０％〜９０％程度の材料を用いた際に、重量あたりの放電容量が低い電池になってしまう危険性があった。
【０００７】
本発明の目的は、放電末期に両極間の電圧低下を緩やかにし、放電容量の優れた非水系電解液二次電池とその負極材料を提供することにある。
【０００８】
【課題を解決するための手段】
本発明は、負極活物質に黒鉛質材料と該黒鉛質材料より高い放電容量を有する非黒鉛質材料の混合材料を用いる（但しここで述べる放電容量は、対極を金属リチウムとして、ある電流密度で端子間電圧が０Ｖに成るまでリチウムをドープし、その後１．５Ｖ  までリチウムを脱ドープした際の負極材料単位重量あたりの放電量を指す）。それにより、放電末期に両極間の電圧低下を緩やかにし、放電可能な電池容量が向上される。また、非黒鉛質材料の混合量は１０体積％より大きく９０体積％未満とする。また、非黒鉛質材料は参照極及び対極に金属リチウムを用いて作成したモデル電池評価において、Ｌｉ基準電位で０Ｖまで充電後、
１．５Ｖまで放電した際の初回充放電効率（但しここで述べる初回充放電効率は、対極を金属リチウムとして、一定電流密度で端子間電圧が０Ｖに成るまでリチウムをドープした負極材料単位重量あたりの充電量Ｃと、その後１．５Ｖ  までリチウムを脱ドープした際の負極材料単位重量あたりの放電量Ｄとの百分率比＝（Ｄ／Ｃ）×１００を指す）が８５％より高い値を示す材料を用いる。
【０００９】
具体的用いる非黒鉛質材料物性としては、Ｘ線回折結果より算出される結晶子の厚みを示すＬｃ値が０．７０〜２．２０ｎｍ程度で、且つラマン分光スペクトルで測定される１３００〜１４００ｃｍ−１範囲の非結晶質乱層構造に由来する振動モードを示すピークの高さ（ＩＤ  ）と１５８０〜１６２０ｃｍ−１の範囲の黒鉛結晶質構造に由来する振動モードを示すピークの高さ（ＩＧ  ）の比から求められる黒鉛化度Ｒ値（ＩＤ／ＩＧ）が０．９０〜１．２０  程度、窒素吸着比表面積が＜２ｍ２／ｇであるものを用いることが望ましい。この、物性値を外れると、放電容量が低く成ったりする危険性がある。また、Ｌｉ基準電位で０Ｖまで充電後、１．５Ｖまで放電した際の初回充放電効率８５％以下である場合、不可逆容量が大きくなり、電池として過剰な活物質が必要となり重量あたりのエネルギー密度が低下したり、コストが高くなってしまう問題が生じる。
【００１０】
本発明により、放電末期に両極間の電圧低下を緩やかにすることが可能になり、０Ｖまで充電し、例えば０．３Ｖ  まで放電可能な容量が、黒鉛質材料単体及び非黒鉛質材料単体における評価容量から推算される、予想値以上に優れた特性を示す負極材料を見出した。
【００１１】
即ち、本発明は、リチウムの吸蔵放出が可能な正極活物質が集電体箔の両面に形成された正極と、リチウムの吸蔵放出が可能な負極活物質が集電体箔の両面に形成された負極と、リチウム塩を含む非水電解液とを有し、前記正極及び負極がセパレータを介して巻回または積層された非水系電解液二次電池において、前記負極活物質が黒鉛質材料と該黒鉛質材料より高い放電容量を有する非黒鉛質材料の混合材料からなることを特徴とする。
【００１２】
従来の黒鉛質材料と非黒鉛質材料の混合負極の評価では、結晶内にリチウムイオンを可逆的にドープ／脱ドープする為の指標として用いられていた００２面の面間隔ｄ（００２）及び結晶子サイズＬｃを適正化していた。それに対して本発明の非黒鉛質材料はＬｃ値を最適化し、且つ、リチウムイオンの可逆的にドープ／脱ドープするためのサイトとなる材料表面の黒鉛化度Ｒ値が結晶質な性質と炭素質な性質の両面を持ち合わせる適正値にし、更に非黒鉛質材料の比表面積及び充放電効率を適正化することにより、電解液の分解等の副反応を抑制し、活物質界面でのイオンのドープ／脱ドープに伴う電荷移動などに起因する反応分極を抑制し、従来黒鉛質材料と非黒鉛質材料の混合負極と比較して、放電末期に両極間の電圧低下を緩やかにすることが可能になり、０Ｖまで充電後、例えば負極電位で０．３Ｖ  まで放電可能な容量が、黒鉛質材料単体及び非黒鉛質材料単体における評価容量から推算される、予想値以上の優れた特性が得られるものである。
【００１３】
負極材料を集電体と密着させるために用いるバインダーは、ポリフッ化ビニリデン−６フッ化プロピレン共重合体，エチレン−プロピレン−ジエン共重合体等が好ましい。また非水溶媒としては、プロピレンカーボネート，ジメチルカーボネート１，２−ジメトキシエタン，テトラヒドロフラン等の単体または混合物が好ましい。
【００１４】
電解質は、過塩素酸リチウム，六フッ化リン酸リチウム，ホウフッ化リチウム，ビストリフルオロメチルスルホニイミドリチウムなどを用いることが好ましい。
【００１５】
本発明の負極材料と組み合わせて使用する正極材料としては、化学式がＬｉＣｏＯ２，ＬｉＮｉＯ２，ＬｉＭｎｘＮｉ１−ｘＯ２，ＬｉＭｎ２Ｏ４，ＬｉＭｎＯ２（但しｘは０．００１≦ｘ≦０．５の範囲）等が上げられる。
【００１６】
【発明の実施の形態】
本実施例で示すバインダー，非水系溶媒，集電体，電解質等は一例であり、本発明は本実施例に示すものには限定されない。
【００１７】
（実施例１）
本実施例の非水系電解液二次電池用負極材料の調製方法を以下に示す。実施形態１〜４において非黒鉛質材料としては、セルロース系の先駆体を焼成したものを用いた。焼成方法の一例を以下に示す。まず、前記先駆体を５℃／分の昇温速度で３００℃まで加熱し１時間保持後（大気中）、冷却後粉砕する。その後、分級することで７０ミクロン以上の粗粒を除去した。分級した粉末を１０−２Ｔｏｒｒの真空下で７００℃まで昇温（５℃／分）して１時間保持後、更に１２００℃まで昇温（５℃／分）し２時間保持して調製した。このようにして調製した非黒鉛材料の物性値は、Ｘ線回折結果より算出される結晶子の厚みを示すＬｃ値が１ｎｍで、且つラマン分光スペクトルで測定される非結晶質乱層構造に由来するピークの高さ（ＩＤ  ）と黒鉛結晶質構造に由来するピークの高さ（ＩＧ  ）の比から求められる黒鉛化度Ｒ値（ＩＤ／ＩＧ）が０．９８、窒素吸着による比表面積は１ｍ２／ｇであった。また、用いた黒鉛質材料としては、放電容量が３６０ｍＡｈ／ｇで初回の充放電効率が９０％である人造黒鉛を用いた。また比較例１〜４は非黒鉛材料として前述の実施形態１と同じ物を用い混合割合を変化させたものである。また、比較例５〜７は原料として前述の実施形態１と同じ物を用い、７００℃での保持をなくしＡｒ雰囲気下で焼成したもの、最高到達温度１５００℃で１０時間保持したもの、最高到達温度９００℃としたものをそれぞれ用いた。その他の焼成の詳細条件は実施形態１に準じた。このようにして調整した非黒鉛質材料の物性値，混合割合を表１に示す。
【００１８】
【表１】
2004303674.tif 000003
【００１９】
以下にこれらの負極材料を用いて、電極を作成し負極材料特性を評価する手法を示す。まず電極の作成方法を以下に示す。任意の割合で秤量した負極材料にポリフッ化ビニリデン（クレハ製＃１１２０）１０重量部と成るように添加して、溶媒として１−メチル−２−ピロリドンを、固形分濃度が４５重量部となるように添加して混練する。そうして得たスラリーを集電体である銅箔上に塗布し、１２０℃で３時間恒温槽内において乾燥させた。その後、直径１５ｍｍに打ち抜き電極とした。
【００２０】
以下にテストセルを作製し、負極材料特性を評価する方法を示す。負極材料特性評価に用いたテストセルは、直径が１５ｍｍでセパレータとしてはポリプロピレン製多孔質膜を介して対極となるリチウム金属箔（１ｍｍ厚）と対向させて配置し、その間に、非水系電解液を充填させた。本実施例で用いた電解液はエチレンカーボネートとメチルエチルカーボネートとの混合溶媒（容量比１：１）に電解質として六フッ化リン酸リチウムを１Ｍ溶解させたものを用いた。このようにして調製したテストセルの充放電条件は、以下に示す条件で行った。充電は定電流充電０．５ｍＡ（０．２８４ｍＡ／ｃｍ２  ），定電圧充電０Ｖ，０．０５ｍＡ  で実施し、放電は電流０．５ｍＡでカット電圧０．３Ｖとした。表１に示す放電容量及び初回充放電効率は、別途作成したテストセルで、前述の充放電条件と同一電流密度とし、放電カット電圧を１．５Ｖ  とし評価した値である。
【００２１】
上記の条件で充放電を行った後に、混合物負極材料単位量あたりの放電容量を算出した。その結果を図１に示す。図１より本発明である混合負極は、黒鉛質材料単独負極及び非黒鉛質材料単独負極の特性評価から推算される値より高い放電量を示し、優れた負極材料であることが確認された。
【００２２】
（実施例２）
本発明の非水系電解液二次電池用負極材料を用いたリチウム二次電池の性能評価方法を示す。本実施例で用いた電極及び電池の調製方法を以下に示す。正極は材料としてＬｉＭｎ２Ｏ４を用いた。正極活物質８７重量部に導電助剤となる人造黒鉛８．７重量部  ，１−メチル−２−ピロリドンに溶解させたポリフッ化ビニリデン（クレハ製＃１１２０）を固形分で４．３  重量部と成るように混合し、ペーストを作成して集電体であるアルミ箔に両面塗布し、８０℃で３時間乾燥させた。その後、プレスして約２．７ｇ／ｃｍ３程度の密度とし、１２０℃で３時間真空乾燥して正極を得た。
【００２３】
負極は実施形態１に示す非黒鉛材料に任意の割合で黒鉛材料を混合した材料にポリフッ化ビニリデン（クレハ製＃１１２０）１０重量部と成るように添加して、溶媒として１−メチル−２−ピロリドンを、固形分濃度が４５重量部となるように添加して混練する。そうして得たスラリーを集電体である銅箔に両面の塗布し、８０℃で３時間乾燥させた。その後、プレスして約１．０ｇ／ｃｍ３程度の密度とし、１２０℃で３時間真空乾燥して得た。
【００２４】
実施形態５〜８の電池は実施形態１〜４に示す負極材料を用い、また、比較例９〜１４の電池は比較例１〜７の負極材料を用いて、前述と同様の手法で電極を作成した。得られた正極及び負極は、ポリエチレン製多孔質膜セパレータ（厚み：０．０２５ｍｍ  ）と組み合わせて捲回し、外寸法が直径１８ｍｍ，長さ６５ｍｍの電池缶に収納した。用いた電解液は、エチレンカーボネートとメチルエチルカーボネートとの混合溶媒（容量比１：１）に電解質として六フッ化リン酸リチウムを１Ｍ溶解させたものを用いた。図２に本試験に用いた電池の一例の一部断面正面図を示す。
【００２５】
図２に示す円筒型リチウム二次電池は、薄板状に加工された正極１と同様に加工された負極２がポリエチレン製多孔膜等のセパレータ３を介して重ね合わせたものを捲回し、これを金属製等の電池缶７に挿入し、密閉化されている。正極には正極タブ４を介して正極蓋６に接合され、負極２は負極タブ５を介して電池底部へ接合されている。正極蓋６はガスケット８にて電池缶７へ固定されている。
【００２６】
上記のようにして調製した電池の充放電条件は、以下に示す条件で行った。電流５００ｍＡ一定で、充電停止電圧４．２Ｖ  ，放電停止電圧２．７Ｖ  として性能評価を実施した。表２に電池の充放電効率評価結果を示す。本実施例においても実施形態１〜４と同様の傾向を有し、黒鉛質材料単独負極を用いた際の電池の放電容量と、非黒鉛質材料単独負極を用いた際の電池の放電容量から推算される容量より、優れた放電容量を示す二次電池を製造できることが確認された。
【００２７】
【表２】
2004303674.tif 000004
【００２８】
【発明の効果】
本発明の負極材料を用いることにより、放電容量特性が優れた非水系電解液二次電池を製造することが可能となり、ポータブル電子機器、等の小型化に寄与できる。
【図面の簡単な説明】
【図１】本発明の負極材料の単極容量特性を示す線図。
【図２】本発明に係る円筒型リチウム二次電池の断面図。
【符号の説明】
１…正極、２…負極、３…セパレータ、４…正極タブ、５…負極タブ、６…正極蓋、７…電池缶、８…ガスケット。
【図１】
2004303674.tif 000005
【図２】
2004303674.tif 000006